(57)【特許請求の範囲】
【請求項１】
厨房のコーナー部に設置される概略Ｌ字形状のカウンターを備えたキッチンであって、
当該カウンターのコーナー部分には、外周が半円以上の円弧部分となるように形成されたシンクを備えるとともに、上記円弧部分には、外周に形成される半円以上の円弧支持腕とプレート部とを備える複数のプレート部材が上記円弧部分に沿って移動可能に、かつ重ね合わせ可能に支持され、
上記複数のプレート部材の重なりを大きくしたり小さくすることにより、上記複数のプレート部材にわたって形成されるプレート部の広さを変化させることができるように構成されていることを特徴とするキッチン。
【請求項２】
上記円弧部分には、上側に配置される第一のプレート部材の円弧支持腕を載置可能な第一の載置面が円弧状に設けられるとともに、下側に配置される第二のプレート部材の円弧支持腕を載置可能な第二の載置面が上記第一の載置面よりも内周側にて円弧状に設けられていることを特徴とする請求項１に記載のキッチン。
【請求項３】
上側に配置されるプレート部材の縁部には、下側に配置されるプレート部材のプレート部に対して傾斜する傾斜面が設けられていることを特徴とする請求項１または請求項２に記載のキッチン。
【請求項４】
各プレート部材は、上記円弧支持腕の一端寄りにプレート部を備えていることを特徴とする請求項１〜請求項３のいずれかに記載のキッチン。
【請求項５】
各プレート部材の間には、重ね合わせ方向に係合して上記円弧部分に沿った方向への移動範囲を互いに規制する凹凸係合構造が対向面に形成されていることを特徴とする請求項１〜請求項４のいずれかに記載のキッチン。
【発明の詳細な説明】
【０００１】
【発明の属する技術分野】
本発明は、キッチンに関し、特に、厨房のコーナー部に設置される概略Ｌ字形状のカウンターを備えたキッチンに関する。
【０００２】
【従来の技術】
従来、厨房のコーナー部に設置される概略Ｌ字形状のカウンターを備えたキッチンには、図４に示すように、矩形形状のシンクが一対向辺をコーナー外側とコーナー内側とに配向させつつコーナー部分に設置されている。
【０００３】
【発明が解決しようとする課題】
上述した従来のキッチンにおいては、シンクと厨房の壁面等との間に生じるデッドスペースが大きく、スペースの利用効率が良くなかった。
本発明は、上記課題にかんがみてなされたもので、コーナー部分におけるスペースの利用効率を向上させるとともに、コーナー部分に配置されたシンクの間口部位におけるスペースを有効利用することが可能なキッチンの提供を目的とする。
【０００４】
【課題を解決するための手段】
上記目的を達成するため、請求項１にかかる発明は、厨房のコーナー部に設置される概略Ｌ字形状のカウンターを備えたキッチンであって、当該カウンターのコーナー部分には、外周が半円以上の円弧部分となるように形成されたシンクを備えるとともに、上記円弧部分には、外周に形成される半円以上の円弧支持腕とプレート部とを備える複数のプレート部材が上記円弧部分に沿って移動可能に、かつ重ね合わせ可能に支持され、上記複数のプレート部材の重なりを大きくしたり小さくすることにより、上記複数のプレート部材にわたって形成されるプレート部の広さを変化させることができるような構成としてある。
すなわち、当該カウンターのコーナー部分に形成されたシンクには、外周に半円以上の円弧部分が設けられており、シンクと厨房の壁面等との間に生じるデッドスペースを減少させ、スペースの有効利用が図られている。
また、上記円弧部分には、外周に形成される半円以上の円弧支持腕と、プレート部とを備えるプレート部材が支持されている。
すなわち、プレート部材の外周に形成される半円以上の円弧支持腕が上記円弧部分にて支持され、プレート部が上記シンクの開口部位に配置される。ここで、上記円弧支持腕は、半円以上に形成されているため、上記円弧部分との間に特別な係合構造等を設けなくても同円弧部分に安定支持される。また、同円弧支持腕を同円弧部分に固定する必要がないため、上記プレート部材を所望の位置に変更することも脱着することも容易に可能となる。
さらに、上記円弧部分には、重ね合わせ可能な複数のプレート部材が支持されている。そして、本キッチンは、上記複数のプレート部材の重なりを大きくしたり小さくすることにより、上記複数のプレート部材にわたって形成されるプレート部の広さを変化させることができるように構成されている。
すなわち、上記円弧部分に支持される複数のプレート部材は、互いに重ね合わせることができるため、重なり部分を少なくしてプレート部を広く使用することが可能であるとともに、重なり部分を多くしてプレート部をコンパクトにまとめることも可能である。従って、上記シンクの開口部位におけるスペースを有効利用することができる。
【０００５】
このように、複数のプレート部材を採用した場合の構成例として、請求項２にかかる発明は、請求項１に記載のキッチンにおいて、上記円弧部分には、上側に配置される第一のプレート部材の円弧支持腕を載置可能な第一の載置面が円弧状に設けられるとともに、下側に配置される第二のプレート部材の円弧支持腕を載置可能な第二の載置面が上記第一の載置面よりも内周側にて円弧状に設けられている構成としてある。
すなわち、上記円弧部分の内周側にて円弧状に設けられた第二の載置面には、第二のプレート部材の円弧支持腕が載置され、同円弧部分の内周側にて円弧状に設けられた第一の載置面には、同第一のプレート部材の上側に重ね合われた第二のプレート部材の円弧支持腕が載置される。このため、各円弧支持腕の支持構造を容易な構成により簡単に形成することが可能となる。
すなわち、上記円弧部分に円弧状に設けられた第二の載置面には、第二のプレート部材の円弧支持部が載置され、同円弧部分に円弧状に設けられた第一の載置面には、同第二のプレート部材の上側に重ね合わされた第一のプレート部材の円弧支持腕が載置される。このため、各円弧支持腕の支持構造を容易な構成により簡単に形成することが可能となる。
【０００６】
上述したように、プレート部材を複数重ね合わせて配置するにあたって、同プレート部材に付加構成を設けて使い勝手を良くすることも可能である。その一例として、請求項３にかかる発明は、請求項１または請求項２に記載のキッチンにおいて、上側に配置されるプレート部材の縁部には、下側に配置されるプレート部材のプレート部に対して傾斜する傾斜面が設けられている構成としてある。
【０００７】
また、上記プレート部材におけるプレート部の形成位置を工夫することにより、当該キッチンの使い勝手を良くすることも可能である。その一例として、請求項４にかかる発明は、請求項１〜請求項３のいずれかに記載のキッチンにおいて、各プレート部材は、上記円弧支持腕の一端寄りにプレート部を備えている構成としてある。
すなわち、上記円弧支持腕の一端寄りにプレート部を備えた複数のプレート部材を配置し、互いの重なりを大きくしたり、小さくすることにより、複数のプレート部材にわたって形成されるプレート部の広さを変化させることができる。
【０００８】
この際、上記プレート部が各プレート部材の一端寄りに形成されているため、各プレート部材の他端寄りにおける円弧支持腕を使って同プレート部を移動させることが可能となる。従って、各プレート部材を移動させる際、上記プレート部が邪魔にならず、操作性を向上させられる点で有用な構成となる。
また、各プレート部材の一端寄りにのみ上記プレート部が形成されているため、各プレート部材のプレート部を重ね合わせた際、各プレート部をコンパクトにまとめることができ、上記シンクの開口部位におけるスペースを有効利用することができる。
【０００９】
さらに、上記請求項４に記載されたプレート部材の使い勝手を良くするために付加構成を設けることも可能であり、その一例として、請求項５にかかる発明は、請求項１〜請求項４のいずれかに記載のキッチンにおいて、各プレート部材の間には、重ね合わせ方向に係合して上記円弧部分に沿った方向への移動範囲を互いに規制する凹凸係合構造が対向面に形成されている構成としてある。
すなわち、各プレート部材の対向面に形成された凹凸係合構造では、一方のプレート部材に設けられた凸構造と他方のプレート部材に設けられた凹構造とが重ね合わせ方向に係合し、各プレート部材の上記円弧部分に沿った方向への移動範囲を互いに規制する。このため、各プレート部材どうしの位置関係を微調節しなくても所定位置に水切り場所を形成することができ、使い勝手の良いものとなる。
【００１０】
【発明の効果】
以上説明したように本発明は、コーナー部分におけるスペースの利用効率を向上させるとともに、シンクの開口部位におけるスペースを有効利用することが可能なキッチンを提供することができる。
【００１１】
また、請求項２にかかる発明によれば、複数のプレート部材を配置する場合であっても、簡易な構成でプレート部材の支持構造を形成することができる。
【００１２】
さらに、請求項３〜請求項５にかかる発明によれば、使い勝手の良いプレート部材を提供することができる。
【００１３】
【発明の実施の形態】
ここでは、下記の順序に従って本発明の実施形態を説明する。
（１）シンクの説明：
（２）プレート部材の説明：
（３）変形例１にかかるプレート部材の説明：
（４）変形例２にかかるプレート部材の説明：
（５）まとめ：
【００１４】
（１）シンクの説明：
図１は、本実施形態にかかるキッチンの上面構成を平面図により示している。
同図において、カウンター１０は、概略Ｌ字形状に形成されており、紙面奥方に配置されたキャビネットにより支持されて厨房のコーナー部に設置されている。このカウンター１０には、コーナー部分にシンク１１が設置されている。また、同図においてシンク１１の下方には、作業スペースを介してレンジ１２が設置され、シンク１１の左方には、トップオープン式の食洗機１３が設置されている。
【００１５】
以下、カウンター１０に設置されたシンク１１について、図２を参照しながら説明する。
シンク１１は、コーナー外側に向けて凸状に形成される半円以上の円弧部分１１ａを外周に備えている。円弧部分１１ａを外周に形成することで、図３に示すように、矩形形状のシンクを設置した場合よりもコーナー部分におけるデッドスペースが低減される。同図において、二点破線は、図４に示すように、従来のキッチンにおける矩形形状のシンクを採用した場合のデッドスペースを示しており、斜線部分は、本実施形態にかかるシンク１１を採用した場合のデッドスペースを示している。
【００１６】
また、シンク１１の内周には、カウンター１０におけるコーナー内側の形状に沿って形成された円弧部分１１ｂが備えられている。
図１に示すように、カウンター１０のコーナー内側を円弧形状とし、シンク１１の内側に円弧部分１１ｂを設けると、コーナー部分で調理者がシンク１１の周辺を移動する際、コーナー部分で調理者の身体をサポートすることができるため、カウンター１０の使い勝手が良いものとなる。ここで、円弧部分１１ｂは、本発明にいう第二の円弧部分を構成する。
【００１７】
（２）プレート部材の説明：
シンク１１の円弧部分１１ａには、プレート部材としての水切りプレート２０が配置されており、図５は、この水切りプレート２０の配置状況を平面図により示している。
水切りプレート２０は、外周に形成される半円以上の円弧支持腕２１と、複数の水切り孔２２ａを有するプレート部２２とを備えている。また、シンク１１の円弧部分１１ａには、同図および図６に示すように、カウンター１０の上面から一段低くなった載置面１１ａ１が円弧状に設けられている。
【００１８】
かかる構成により、円弧支持腕２１を載置面１１ａ１に載置すると、円弧支持腕２１が１８０度以上の範囲で載置面１１ａ１により支持されるため、シンク１１との間に特別な係合構造を設けなくても、水切りプレート２０をシンク１１の円弧部分１１ａに安定支持させることができる。
この際、円弧支持腕２１が載置面１１ａ１に載置されているだけであるため、調理者は、円弧支持腕２１を円弧部分１１ａに沿って移動させ、所望の位置に配置させることが可能である。また、円弧支持腕２１をシンク１１の外周形状に沿って移動させるため、図４に示す場合のように、シンク１１の中央付近を遮ることがない点でも有用な構造である。
【００１９】
（３）変形例１にかかる水切りプレートの説明：
上述した実施形態では、シンク１１に一つの水切りプレート２０を配置させているが、複数の水切りプレートを配置することにより、シンク１１の使い勝手を一層向上させることも可能である。
図７は、変形例１にかかる水切りプレートの配置状況を平面図により示している。
同図において、水切りプレート２０は、紙面奥側に配置され、水切りプレート３０は、紙面手前側に配置されている。ここで、水切りプレート３０は、本発明にいう第一のプレート部材を構成し、水切りプレート２０は、本発明にいう第二のプレート部材を構成する。
【００２０】
水切りプレート３０は、円弧支持腕２１と同様に半円以上で形成されるとともに、円弧支持腕２１よりも径方向へ一回り大きく形成された円弧支持腕３１と、プレート部２２と同様のプレート部３２とを備えている。
また、シンク１１の円弧部分１１ａには、同図および図８に示すように、カウンター１０の上面から一段低くなった載置面１１ａ２と、載置面１１ａ２よりもさらに一段低くなった載置面１１ａ３とが円弧状に設けられている。ここで、載置面１１ａ２は、本発明にいう第一の載置面を構成し、載置面１１ａ３は、本発明にいう第二の載置面を構成する。
かかる構成により、円弧支持腕２１を載置面１１ａ３に載置し、円弧支持腕３１を載置面１１ａ２に載置すると、円弧支持腕２１，３１が１８０度以上の範囲で載置面１１ａ２，１１ａ３により支持される。
【００２１】
この際、円弧支持腕２１，３１が載置面１１ａ２，１１ａ３にそれぞれ載置されているだけであるため、調理者は、円弧支持腕２１，３１を円弧部分１１ａに沿ってそれぞれ移動させ、所望の位置に配置させることが可能である。すると、使用時には、図７に示すように、水切りプレート２０，３０の重なり部分を少なくさせ、プレート部２２，３２を広く使うことができる。また、非使用時には、図９に示すように、水切りプレート２０，３０を重ね合わせ、プレート部２２をプレート部３２の背後に収納させることにより、シンク１１を広く使えるようにすることができる。
なお、水切りプレート３０におけるプレート部３２の内周には、図１０に示すように、周縁に向けて徐々に下る傾斜面３２ａが設けられており、この傾斜面３２ａは、図７のように水切りプレート２０，３０を展開させた際、水切りプレート２０におけるプレート部２２との間の段差を低減させている。
【００２２】
（４）変形例２にかかる水切りプレートの説明：
また、複数の水切りプレートをコンパクトに配置するために工夫を凝らすことも可能であり、その一例について図１１を参照しながら説明する。
同図において、水切りプレート４０は、紙面奥側に配置され、水切りプレート５０は、紙面手前側に配置されている。
水切りプレート４０は、上述した円弧支持腕２１と同一形状の円弧支持腕４１と、円弧支持腕４１の右端側に形成されたプレート部４２とを備えている。また、水切りプレート５０は、上述した円弧支持腕３１と同一形状の円弧支持腕５１と、円弧支持腕５１の左端側に形成されたプレート部５２とを備えている。さらに、シンク１１の円弧部分１１ａには、上述した載置面１１ａ２，１１ａ３が円弧状に設けられている。
【００２３】
かかる構成により、円弧支持腕４１を載置面１１ａ３に載置し、円弧支持腕５１を載置面１１ａ２に載置すると、円弧支持腕４１，５１が１８０度以上の範囲で載置面１１ａ２，１１ａ３により支持される。
ここで、同図に示すように、円弧支持腕４１，５１をそれぞれ中央寄りに配置させると、プレート部４２の左端とプレート部５２の右端とが対向してプレート部４２，５２により三日月形状のプレート部が形成されるため、プレート部４２，５２を広く有効に使うことができる。
【００２４】
一方、図１２に示すように、円弧支持腕４１を左側へ移動させ、円弧支持腕５１を右側へ移動させると、プレート部４２，５２が互いに重なり合うため、プレート部４２，５２をコンパクトにまとめることができる。
なお、プレート部５２の右辺には、図１３に示すように、図１１に示す展開時にプレート部４２に向けて徐々に下る傾斜面５２ａが形成されており、プレート部４２との間の段差が低減されている。
【００２５】
また、プレート部４２の左辺における外周寄りには、上方へガイド突起４２ａが設けられ、プレート部５２の外周下面には、円弧状にガイド溝５２ｂが設けられている。そして、ガイド突起４２ａがガイド溝５２ｂに収容され、このガイド溝５２ｂによりガイド突起４２ａの移動範囲が規制されている。
このため、図１１に示すように展開された際には、ガイド突起４２ａが図１３に示すようにガイド溝５２ｂの右端に突き当たり、水切りプレート５０に対する水切りプレート４０の右方への移動が規制される。一方、図１２に示すように重ね合わされた際には、ガイド突起４２ａがガイド溝５２ｂの左端に突き当たり、水切りプレート５０に対する水切りプレート４０の左方への移動が規制される。従って、水切りプレート４０，５０の位置関係を微調節しなくても所定位置に水切り場所を形成することが可能となり、使い勝手の良いものとなる。ここで、ガイド突起４２ａとガイド溝５２ｂとは、本発明にいう凹凸係合構造を構成する。
【００２６】
（５）まとめ：
以上のように、概略Ｌ字形状のカウンター１０におけるコーナー部分には、シンク１１が設置されており、このシンク１１は、コーナー外側に向けて凸状に形成される半円以上の円弧部分１１ａを外周に備えている。かかる構成により、矩形形状のシンクを設置した場合などよりもカウンター１０のコーナー部分におけるデッドスペースが低減され、スペースの有効利用が可能となる。
【図面の簡単な説明】
【図１】  本実施形態にかかるカウンターの上面構成を示す平面図である。
【図２】  シンクの形状を示す平面図である。
【図３】  コーナー部分におけるデッドスペースの大小を説明するための説明図である。
【図４】  矩形形状のシンクを採用したカウンターの上面構成を示す平面図である。
【図５】  水切りプレートの配置状況を示す平面図である。
【図６】  図５におけるＡ−Ａ断面を示す断面図である。
【図７】  変形例１にかかる水切りプレートの配置状況を示す平面図である。
【図８】  図７におけるＢ−Ｂ断面を示す断面図である。
【図９】  水切りプレートを重ね合わせた際の状況を示す平面図である。
【図１０】  図７におけるＣ−Ｃ断面を示す断面図である。
【図１１】  変形例２にかかる水切りプレートの配置状況を示す平面図である。
【図１２】  水切りプレートを重ね合わせた際の状況を示す平面図である。
【図１３】  図１１におけるＤ−Ｄ断面を示す断面図である。
【符号の説明】
１０…カウンター
１１…シンク
１１ａ，１１ｂ…円弧部分
１１ａ１〜１１ａ３…載置面
１２…レンジ
１３…食洗機
２０，３０…水切りプレート
２１，３１…円弧支持腕
２２，３２…プレート部
２２ａ…水切り孔
３２ａ…傾斜面
４０，５０…プレート
４１，５１…円弧支持腕
４２，５２…プレート部
４２ａ…ガイド突起
５２ａ…傾斜面
５２ｂ…ガイド溝
【図１】
0003818892.tif 000002
【図２】
0003818892.tif 000003
【図３】
0003818892.tif 000004
【図４】
0003818892.tif 000005
【図５】
0003818892.tif 000006
【図６】
0003818892.tif 000007
【図７】
0003818892.tif 000008
【図８】
0003818892.tif 000009
【図９】
0003818892.tif 000010
【図１０】
0003818892.tif 000011
【図１１】
0003818892.tif 000012
【図１２】
0003818892.tif 000013
【図１３】
0003818892.tif 000014